【手続補正書】
【提出日】平成19年7月26日(2007.7.26)
【手続補正１】
【補正対象書類名】明細書
【補正対象項目名】特許請求の範囲
【補正方法】変更
【補正の内容】
【特許請求の範囲】
【請求項１】  複数ユーザコンピューティング環境のログオンユーザインタフェースにおいて使用するための方法であって、
ログインプロセス中に、認証されるユーザごとに別個のデスクトップスレッドまたはリモートプロセススレッドを作成し（２１０）、
各デスクトップスレッドに関連する別個のデスクトップまたは各リモートプロセススレッドに関連する別個のリモートプロセスを作成し（２１２）、
作成されたデスクトップスレッドまたはリモートプロセススレッドのリストを保持することを備えることを特徴とする方法。
【請求項２】  各デスクトップに関連する別個のユーザ環境を確立することをさらに備えることを特徴とする請求項１に記載の方法。
【請求項３】  各デスクトップに関連する別個のユーザシェルを起動することをさらに備えることを特徴とする請求項１または２に記載の方法。
【請求項４】  第１のデスクトップに関連するデスクトップスレッドを終了せずに前記第１のデスクトップから第２のデスクトップに選択的に切り換えることをさらに備えることを特徴とする請求項１ないし３のいずれかに記載の方法。
【請求項５】  第１のデスクトップに関連するデスクトップスレッドを終了して各デスクトップに関連する別個のユーザシェルを起動することなく、前記第１のデスクトップから第２のデスクトップに自動的に切り換えることをさらに備えることを特徴とする請求項１ないし３のいずれかに記載の方法。
【請求項６】  第１のデスクトップから第２のデスクトップに自動的に切り換えることは、定義されたユーザ不活動期間後に行われることを特徴とする請求項５に記載の方法。
【請求項７】  ユーザがログオフするときにデスクトップスレッドを前記デスクトップスレッドのリストから選択的に除去することをさらに備えることを特徴とする請求項１ないし６のいずれかに記載の方法。
【請求項８】  各リモートプロセスに関連する別個のユーザ環境を確立することをさらに備えることを特徴とする請求項１に記載の方法。
【請求項９】  各リモートプロセスに関連する別個のユーザシェルを起動することをさらに備えることを特徴とする請求項１ないし８のいずれかに記載の方法。
【請求項１０】  第１のリモートプロセスに関連するリモートプロセススレッドを終了せずに第１のリモートプロセスから第２のリモートプロセスに選択的に切り換えることをさらに備えることを特徴とする請求項１、８または９に記載の方法。
【請求項１１】  第１のリモートプロセスに関連するリモートプロセススレッドを終了して各リモートプロセスに関連する別個のユーザシェルを起動することなく、第１のリモートプロセスから第２のリモートプロセスに自動的に切り換えることをさらに備えることを特徴とする請求項１、８または９に記載の方法。
【請求項１２】  第１のリモートプロセスから第２のリモートプロセスに自動的に切り換えることは、定義されたユーザ不活動期間後に行われることを特徴とする請求項１１に記載の方法。
【請求項１３】  ユーザがログオフするときにリモートプロセススレッドを前記リモートプロセススレッドのリストから選択的に除去することをさらに備えることを特徴とする請求項１または８ないし１２のいずれかに記載の方法。
【請求項１４】  請求項１ないし１３のいずれかに記載の方法を実行するためのコンピュータ実行可能命令を有することを特徴とするコンピュータ可読媒体。
【請求項１５】  オペレーティングシステムの少なくとも一部が記憶されたメモリ（２２、２５）と、
前記メモリに動作可能に結合され、前記オペレーティングシステムに応答して、ログオンプロセス中に認証されるユーザごとに別個のデスクトップスレッドまたはリモートプロセススレッドを作成し、各デスクトップスレッドに関連する別個のデスクトップまたは各リモートプロセススレッドに関連する別個のリモートプロセスを作成し、作成されたデスクトップスレッドまたはリモートプロセススレッドのリストを保持するプロセッサ（２１）とを備えることを特徴とする装置。
【請求項１６】  前記プロセッサは、各デスクトップに関連する別個のユーザ環境を確立することにより前記オペレーティングシステムにさらに応答することを特徴とする請求項１５に記載の装置。
【請求項１７】  前記プロセッサは、各デスクトップに関連する別個のユーザシェルを起動することにより前記オペレーティングシステムにさらに応答することを特徴とする請求項１５または１６に記載の装置。
【請求項１８】  前記プロセッサは、第１のデスクトップに関連するデスクトップスレッドを終了せずに前記第１のデスクトップから第２のデスクトップに選択的に切り換えることにより前記オペレーティングシステムにさらに応答することを特徴とする請求項１５ないし１７のいずれかに記載の装置。
【請求項１９】  前記プロセッサは、第１のデスクトップに関連するデスクトップスレッドを終了して各デスクトップに関連する別個のユーザシェルを起動することなく、前記第１のデスクトップから第２のデスクトップに自動的に切り換えることにより前記オペレーティングシステムにさらに応答することを特徴とする請求項１５ないし１７のいずれかに記載の装置。
【請求項２０】  第１のデスクトップから第２のデスクトップに自動的に切り換えることは、定義されたユーザ不活動期間後に行われることを特徴とする請求項１９に記載の装置。
【請求項２１】  前記プロセッサは、ユーザがログオフするときにデスクトップスレッドを前記デスクトップスレッドのリストから選択的に除去することにより前記オペレーティングシステムにさらに応答することを特徴とする請求項１５ないし２０のいずれかに記載の装置。
【請求項２２】  前記プロセッサは、各リモートプロセスに関連する別個のユーザ環境を確立することにより前記オペレーティングシステムにさらに応答することをさらに備えることを特徴とする請求項１５に記載の装置。
【請求項２３】  前記プロセッサは、各リモートプロセスに関連する別個のユーザシェルを起動することにより前記オペレーティングシステムにさらに応答することをさらに備えることを特徴とする請求項１５または２２に記載の装置。
【請求項２４】  第１のリモートプロセスに関連するリモートプロセススレッドを終了せずに前記第１のリモートプロセスから第２のリモートプロセスに選択的に切り換えることをさらに備えることにより前記オペレーティングシステムにさらに応答することを特徴とする請求項１５、２２または２３に記載の装置。
【請求項２５】  前記プロセッサは、第１のリモートプロセスに関連するリモートプロセススレッドを終了して各リモートプロセスに関連する別個のユーザシェルを起動することなく、第１のリモートプロセスから第２のリモートプロセスに自動的に切り換えることにより前記オペレーティングシステムにさらに応答することをさらに備えることを特徴とする請求項１５、２２または２３に記載の装置。
【請求項２６】  第１のリモートプロセスから第２のリモートプロセスに自動的に切り換えることは、定義されたユーザの不活動期間後に行われることを特徴とする請求項２５に記載の装置。
【請求項２７】  前記プロセッサは、ユーザがログオフするときにリモートプロセススレッドを前記リモートプロセススレッドのリストから選択的に除去することにより前記オペレーティングシステムにさらに応答することをさらに備えることを特徴とする請求項２２ないし２６のいずれかに記載の装置。